(57)【要約】      （修正有）【課題】カップ体とカップ縁を、簡単に作製でき、材料節約の効果がえられ、また、断熱シートを設置することにより、断熱の構造がより微妙になり、ペーパーカップの運輸と包装の保管空間を節約でき、包装と運輸のコストを低減でき、カップフタを開く時、力を入れ過ぎて飲料が溢れることを防止でき、ペーパーカップの使用便利性が向上されるペーパーカップの断熱とカップフタ構造を提供する。【解決手段】紙材質からなり、両端縁に、それぞれ、カップ底とカップ口１２が設けられ、上記カップ口に、リング状に、単一のプラスチック材料からなるカップ縁１３が形成され、カップ縁とカップ体１とが、一体成型されるカップ体と、該カップ体のカップ縁から伸びる断熱シート２とが含有され、また、カップ縁の外側に、カップフタの組立て部が可動的に結合されるための結合部が設置される。【選択図】図１
0003171652.tif 000002
【実用新案登録請求の範囲】
【請求項１】
紙材質からなり、両端縁に、それぞれ、カップ底とカップ口が設けられ、上記カップ口に、リング状に、単一のプラスチック材料からなるカップ縁が形成され、カップ縁とカップ体とが、一体成型されるカップ体と、カップ体のカップ縁から伸びる断熱シートとが含有される、ことを特徴とするペーパーカップの断熱とカップフタ構造。
【請求項２】
上記カップ縁と断熱シートは、プラスチックや生物によって分解されるプラスチック材料或いはバイオプラスチックから構成されることを特徴とする請求項１に記載のペーパーカップの断熱とカップフタ構造。
【請求項３】
各断熱シートは、カップ縁の外側から下へ伸びることを特徴とする請求項１に記載のペーパーカップの断熱とカップフタ構造。
【請求項４】
各断熱シートは、長尺板形状であることを特徴とする請求項１に記載のペーパーカップの断熱とカップフタ構造。
【請求項５】
各断熱シートは、連続波浪状であることを特徴とする請求項１に記載のペーパーカップの断熱とカップフタ構造。
【請求項６】
各断熱シートの内側面に、複数の突出部が設けられることを特徴とする請求項１に記載のペーパーカップの断熱とカップフタ構造。
【請求項７】
各断熱シートの外側面に、複数の突出部が設けられることを特徴とする請求項１に記載のペーパーカップの断熱とカップフタ構造。
【請求項８】
各突出部は、横方向のストリップ状や縦方向のストリップ状或いは点状であることを特徴とする請求項６や７に記載のペーパーカップの断熱とカップフタ構造。
【請求項９】
各断熱シートにおいて、カップ縁の近くの位置に、それぞれ、第一の折線が設けられ、また、第一の折線の下方に、第二の折線があり、第二の折線の下方に、更に、湾曲部が設けられることを特徴とする請求項１に記載のペーパーカップの断熱とカップフタ構造。
【請求項１０】
各断熱シートは、カップ縁の底部から下へ伸びることを特徴とする請求項１に記載のペーパーカップの断熱とカップフタ構造。
【請求項１１】
上記断熱シートは、一枚として、リング状に、カップ縁の外側から下へ伸びることを特徴とする請求項１に記載のペーパーカップの断熱とカップフタ構造。
【請求項１２】
上記断熱シートは、一枚として、リング状に、カップ縁の底部から下へ伸びることを特徴とする請求項１に記載のペーパーカップの断熱とカップフタ構造。
【請求項１３】
紙材質からなり、両端縁に、それぞれ、カップ底とカップ口が設けられ、上記カップ口に、リング状に、プラスチック材料からなるカップ縁が形成され、上記カップ縁の外側に、結合部が設けられるカップ体と、カップ体のカップ縁から伸びる断熱シートと、
可動的に、カップ体に結合され、その内側に、カップ縁に設けられた結合部に対応して結合するための組立て部が設けられるカップフタと、が含有される、ことを特徴とするペーパーカップの断熱とカップフタ構造。
【請求項１４】
上記カップ縁や各断熱シート及び結合部は、プラスチックや生物によって分解されるプラスチック材料或いはバイオプラスチックから、一体成型されることを特徴とする請求項１３に記載のペーパーカップの断熱とカップフタ構造。
【請求項１５】
各断熱シートは、カップ縁の底部から下へ伸びることを特徴とする請求項１３に記載のペーパーカップの断熱とカップフタ構造。
【請求項１６】
各断熱シートは、長尺板形状であることを特徴とする請求項１３に記載のペーパーカップの断熱とカップフタ構造。
【請求項１７】
各断熱シートは、連続波浪状であることを特徴とする請求項１３に記載のペーパーカップの断熱とカップフタ構造。
【請求項１８】
各断熱シートの内側面に、複数の突出部が設けられることを特徴とする請求項１３に記載のペーパーカップの断熱とカップフタ構造。
【請求項１９】
各断熱シートの外側面に、複数の突出部が設けられることを特徴とする請求項１３に記載のペーパーカップの断熱とカップフタ構造。
【請求項２０】
各突出部は、横方向のストリップ状や縦方向のストリップ状或いは点状であることを特徴とする請求項１８や１９に記載のペーパーカップの断熱とカップフタ構造。
【請求項２１】
各断熱シートにおいて、カップ縁の近くの位置に、それぞれ、第一の折線が設けられ、また、第一の折線の下方に、第二の折線があり、第二の折線の下方に、更に、湾曲部が設けられることを特徴とする請求項１３に記載のペーパーカップの断熱とカップフタ構造。
【請求項２２】
上記断熱シートは、一枚として、リングに、カップ縁の底部から下へ伸びることを特徴とする請求項１３に記載のペーパーカップの断熱とカップフタ構造。
【請求項２３】
上記カップフタと組立て部は、プラスチックや生物によって分解されるプラスチック材料或いはバイオプラスチックで、上記カップ縁から一体成型されることを特徴とする請求項１３に記載のペーパーカップの断熱とカップフタ構造。
【請求項２４】
上記カップ縁の結合部は、それぞれ、延伸板であり、上記カップフタの組立て部は、それぞれ、突出ブロックであり、各突出ブロック上に、それぞれ、凹槽が形成され、カップフタが、凹槽と延伸板によって結合されることを特徴とする請求項１３に記載のペーパーカップの断熱とカップフタ構造。
【請求項２５】
上記カップ縁の結合部とカップフタの組立て部には、対向するオス、雌スクリューが形成されることを特徴とする請求項１３に記載のペーパーカップの断熱とカップフタ構造。
【考案の詳細な説明】
【技術分野】
【０００１】
本考案は、ペーパーカップの断熱とカップフタ構造に関し、特に、カップ体とカップ縁を、簡単に作製でき、材料節約の効果がえられ、また、断熱シートを設置することにより、断熱の構造がより微妙になり、ペーパーカップの運輸と包装の保管空間を節約でき、包装と運輸のコストを低減でき、その他、カップフタが、より便利にカップ体に結合でき、カップフタを開く時、力を入れ過ぎて飲料が溢れることを防止でき、ペーパーカップの使用便利性が向上されるものに関する。
【背景技術】
【０００２】
生活慣習の推移と伴って、コーヒーやジュース、パールミルクティ及び各種類のお茶類の飲み物等の携行式飲料は、普及してきて、携行方便性とコストを考えるため、既存の、携行式飲料は、一般として、紙からなる飲料カップを利用し、紙質からなる飲料カップは、断熱保温効果が悪いだけでなく、火傷しやすいため、消費者が早めに飲まないと、時間が立つとともに、冷たい飲料や暖かい飲料が、快速的に、室温の状態に戻り、飲料の食感と風味に悪影響を与える。
【０００３】
そのため、関係業者により、ペーパーカップの外側に、嵌設される断熱外層が開発され、断熱外層と上記ペーパーカップとの間に、形成された断熱空間により、熱源の伝導を遮断する機能を発揮できるが、従来のペーパーカップの断熱外層は、ペーパーカップの外部に嵌設されるように設計されるため、使用する時、嵌設動作を行って上記断熱外層とペーパーカップを結合し、使用上、不便利であり、また、上記断熱外層とペーパーカップとは、運輸や包装する時、一緒に或いは別々にしても、包装と運輸の空間とコストが向上され、そして、既存の一般の従来のペーパーカップといえば、そのカップ縁は、一般として、巻いてプレスした後、グルーラインを塗布し、そのため、カップ縁が、多層式の複合構造に形成され、これにより、ペーパーカップの作製複雑性や材料の無駄が改善される。
【０００４】
また、消費者が、便利に飲料を持ち帰ることができるために、店が、ペーパーカップの開口に、カップフタをセットし、上記カップフタの内縁が、ペーパーカップの開口外縁に緊密に嵌合して、消費者が、便利に携行できる。
【０００５】
しかしながら、コーヒーを例として、消費者が、クリーマ或いはシュガーを、コーヒーに添加する時、比較的に大きい外力で、ペーパーカップに嵌合されたカップフタを開き、また、上記ペーパーカップの外部に、断熱外層が嵌設された場合、上記ペーパーカップは、二層式の可動構造になり、カップフタを簡単に開かない可能性があり、例えば、ペーパーカップと断熱外層が、別々に回転するようになり、そのため、消費者は、力を入れ過ぎたため、コーヒーが溢れて、火傷や衣服を汚染する恐れがあり、そのため、従来のものは、実用的とはいえない。
そのため、本考案者は、前記従来の問題を慎重に検討し、長年の、関係産業においての研発や製造経験に基づいて、長期に、研究した結果、状来の諸問題点を解消できる本考案「ペーパーカップの断熱とカップフタ構造」を成功に開発した。
【０００６】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００７】
本考案の主な目的は、カップ体とカップ縁とが、容易に作製され、材料が節約される効果が得られ、また、断熱シートを設置することにより、断熱の構造がより微妙になり、ペーパーカップの運輸と包装の保管空間を節約でき、包装と運輸のコストが低減され、そして、カップフタが、より簡単に、カップ体に結合され、カップフタを開く時、力を入れ過ぎるため、飲料が溢れることを防止でき、ペーパーカップの使用便利性が向上される。
【課題を解決するための手段】
【０００８】
上記の目的を達成するため、本考案に係るペーパーカップの断熱とカップフタ構造は、紙材質からなり、両端縁に、それぞれ、カップ底とカップ口が設けられ、上記カップ口に、リング状に、単一のプラスチック材料からなるカップ縁が形成され、カップ縁とカップ体とが、一体成型されるカップ体と、カップ体のカップ縁から伸びる断熱シートと、が含有される。
【０００９】
本考案の一実施例において、上記カップ縁と各断熱シートは、プラスチックや生物によって分解されるプラスチック材料或いはバイオプラスチックから一体成型される。
【００１０】
本考案の一実施例において、各断熱シートは、カップ縁の外側から下へ伸びる。
【００１１】
本考案の一実施例において、各断熱シートは、長尺板形状である。
【００１２】
本考案の一実施例において、各断熱シートは、連続波浪状である。
【００１３】
本考案の一実施例において、各断熱シートの内側面に、複数の突出部が設けられる。
【００１４】
本考案の一実施例において、各断熱シートの外側面に、複数の突出部が設けられる。
【００１５】
本考案の一実施例において、各突出部は、横方向のストリップ状や縦方向のストリップ状或いは点状である。
【００１６】
本考案の一実施例において、各断熱シートは、カップ縁の近くの位置に、それぞれ、第一の折線が設けられ、また、第一の折線の下方に、第二の折線があり、第二の折線の下方に、更に、湾曲部が設けられる。
【００１７】
本考案の一実施例において、各断熱シートは、カップ縁の底部から下へ伸びる。
【００１８】
本考案の一実施例において、上記断熱シートは、一枚として、リング状に、カップ縁の外側から下へ伸びる。
【００１９】
本考案の一実施例において、上記断熱シートは、一枚として、リング状に、カップ縁の底部から下へ伸びる。
【００２０】
本考案の他の実施構造は、紙材質からなり、両端縁に、それぞれ、カップ底とカップ口が設けられ、上記カップ口に、リング状に、プラスチック材料からなるカップ縁が形成され、上記カップ縁の外側に、結合部が設けられるカップ体と、カップ体のカップ縁から伸びる断熱シートと、可動的に、カップ体に結合され、その内側に、カップ縁に設けられた結合部に対応して結合するための組立て部が設けられるカップフタと、が含有される。
【００２１】
上記の実施例において、上記カップ縁や各断熱シート及び結合部は、プラスチックや生物によって分解されるプラスチック材料或いはバイオプラスチックから、一体成型される。
【００２２】
上記の実施例において、各断熱シートは、カップ縁の底部から下へ伸びる。
【００２３】
上記の実施例において、各断熱シートは、長尺板形状である。
【００２４】
上記の実施例において、各断熱シートは、連続波浪状である。
【００２５】
上記の実施例において、各断熱シートの内側面に、複数の突出部が設けられる。
【００２６】
上記の実施例において、各断熱シートの外側面に、複数の突出部が設けられる。
【００２７】
上記の実施例において、各突出部は、横方向のストリップ状や縦方向のストリップ状或いは点状である。
【００２８】
上記の実施例において、各断熱シートは、カップ縁の近くの位置に、それぞれ、第一の折線が設けられ、また、第一の折線の下方に、第二の折線があり、第二の折線の下方に、更に、湾曲部が設けられる。
【００２９】
上記の実施例において、上記断熱シートは、一枚として、リング状に、カップ縁の底部から下へ伸びる。
【００３０】
上記の実施例において、上記カップフタと組立て部は、プラスチックや生物によって分解されるプラスチック材料或いはバイオプラスチックから一体成型される。
【００３１】
上記の実施例において、上記カップ縁の結合部は、それぞれ、延伸板であり、上記カップフタの組立て部は、それぞれ、突出ブロックであり、各突出ブロック上に、それぞれ、凹槽が形成され、カップフタが、凹槽と延伸板によって結合される。
【００３２】
上記の実施例において、上記カップ縁の結合部とカップフタの組立て部には、対向するオス、雌スクリューが形成される。
【００３３】
以下、図面を参照しながら、本考案の特徴や技術内容について、詳しく説明するが、それらの図面等は、参考や説明のためであり、本考案は、それによって制限されることが無い。
【図面の簡単な説明】
【００３４】
【図１】本考案の第一実施例の外観概念図
【図２】本考案の第一実施例の断面状態概念図
【図３】本考案の第一実施例の保管状態概念図
【図４】本考案の第二実施例の断面状態概念図
【図５】本考案の第三実施例の断面状態概念図
【図６】本考案の第四実施例の断面状態概念図
【図７】本考案の第五実施例の断面状態概念図
【図８】本考案の第六実施例の断面状態概念図
【図９】本考案の第七実施例の分解状態概念図
【図１０】本考案の第七実施例の断面状態概念図
【図１１】本考案の第八実施例の分解状態概念図
【考案を実施するための形態】
【００３５】
図１と図２は、それぞれ、本考案の第一実施例の外観概念図と本考案の第一実施例の断面状態概念図である。図のように、本考案は、少なくとも、カップ体１と断熱シート２から構成されるペーパーカップの断熱とカップフタ構造である。
【００３６】
上記のカップ体１は、紙材質からなり、本考案において、上記カップ体１は、フィルムペーパーから構成され、その両端縁に、それぞれ、カップ底１１とカップ口１２が形成され、上記カップ口１１に、リング状に、プラスチック材料からなるカップ縁１３が形成され、カップ縁１３とカップ体１が、一体成型され、これにより、従来の作製の複雑性と材料の無駄が改善される。
【００３７】
上記断熱シート２は、カップ体１のカップ縁１３の外側から下へ伸び、二枚式や四枚式或いは他の数の多数枚式でもよく、本実施例において、二枚式を例とし、各断熱シート２は、長尺板形状であり、また、各断熱シート２の内側面に、複数の突出部２０が設けられ、各突出部２０は、横方向のストリップ状や縦方向のストリップ状或いは点状であり（本考案において、点状を例とし）、また、各断熱シート２において、カップ縁の近くの位置に、それぞれ、第一の折線２１が設けられ、また、第一の折線２１の下方に、第二の折線２２があり、そして、第二の折線２２の下方に、更に、湾曲部２３が形成され、上記カップ縁１３と各断熱シート２は、プラスチックや生物によって分解されるプラスチック材料或いはバイオプラスチックから一体成型される。以上のように、上記の構造により、新規のペーパーカップの断熱とカップフタ構造が構成される。
【００３８】
カップ体１に熱い飲み物を入れて利用する場合、直接に、親指と人差し指（或いは中指）で、各断熱シート２の外側面に力を印加すると、カップ体１を持つ時の断熱効果が得られ、また、同時に、各突出部２０にあわせて、断熱効果が向上される。
【００３９】
図３は、本考案の第一実施例の保管状態概念図である。図のように、本考案の複数のカップ体１は、包装と運輸される時、一つのカップ体１のカップ底１１を、もう一つのカップ体１のカップ口１２に嵌設して保管され、また、保管する時、各断熱シート２は、第一の折線２１と第二の折線２２及び湾曲部２３が、保管によって押さえられるように、湾曲され、これにより、保管や包装の体積空間が節約される。
【００４０】
図４は、本考案の第二実施例の断面状態概念図である。図のように、本考案は、上記第一実施例に説明された構造形態の他に、本第二実施例の構造形態でもよく、異なることは、各断熱シート２aが、連続波浪状であり、これにより、各断熱シート２aが、カップ体１に接触する時の断熱効果が向上される。
【００４１】
図５は、本考案の第三実施例の断面状態概念図である。図のように、本考案は、上記第一と第二実施例に説明された構造形態の他に、本第三実施例の構造形態でもよく、異なることは、各断熱シート２bの外側面に、複数の突出部２０bが設けられ、各突出部２０bが、横方向のストリップ状や縦方向のストリップ状或いは点状であり、これにより、同様に、上記第一実施例による効果が得られる。
【００４２】
図６は、本考案の第四実施例の断面状態概念図である。図のように、本考案は、上記第一、第二及び第三実施例に説明された構造形態の他に、本第四実施例の構造形態でもよく、異なることは、上記断熱シート２ｄが、一枚として、リング状に、カップ体１のカップ縁１３の外側から、下へ伸び、これにより、同様に、上記第一実施例による効果が得られる。
【００４３】
図７は、本考案の第五実施例の断面状態概念図である。図のように、本考案は、上記第一、二、三、及び第四実施例に説明された構造形態の他に、本第五実施例の構造形態でもよく、異なることは、各断熱シート２cが、カップ縁１３の底部から下へ伸び、これにより、カップフタ３が、カップ体１のカップ縁１３に結合されて、上記カップ口１２を封止することができ、各断熱シート２cによる支障がない。
【００４４】
図８は、本考案の第六実施例の断面状態概念図である。図のように、本考案は、上記第一、二、三、四及び第五実施例に説明された構造形態の他に、本第六実施例の構造形態でもよく、異なることは、上記断熱シート２ｅが、一枚として、リング状に、カップ体１のカップ縁１３の底部から下へ伸び、これにより、カップフタ３が、カップ体１のカップ縁１３に結合されて、上記カップ口１２を封止することができ、各断熱シート２cによる支障がない。
【００４５】
また、図９と図１０図は、それぞれ、本考案の第七実施例の分解状態概念図と本考案の第七実施例の断面状態概念図である。図のように、本考案は、上記第一、二、三、四、五及び第六実施例に説明された構造形態の他に、本第七実施例の構造形態でもよく、異なることは、本考案は、カップ体１aのカップ縁１３aの外側に、結合部１３１aが設けられ、上記カップ縁１３aと結合部１３１aが、プラスチックや生物によって分解されるプラスチック材料或いはバイオプラスチックから一体成型され、また、各断熱シート２が、カップ縁１３aの底部から下へ伸び、また、上記カップ体１aは、カップフタ３が可動的に結合され、カップフタ３の内側に、カップ縁１３aに設けられた結合部１３１aに対向する組立て部３１が設けられ、上記カップフタ３と組立て部３１が、プラスチックや生物によって分解されるプラスチック材料或いはバイオプラスチックから一体成型され、そして、上記カップ縁１３aの結合部１３１aが、それぞれ、延伸板であり、上記カップフタ３の組立て部３１が、それぞれ、突出ブロックであり、また、各突出ブロックに、それぞれ、凹槽３２が形成され、カップフタ３が、凹槽３２と結合部１３１aとの互いに結合することにより、上記カップ口１２ａを封じる。
【００４６】
消費者により、カップフタ３が開かれる時、カップフタ３を回転させるか、直接にカップフタ３に対して、開くための力を印加することにより、カップフタ３の凹槽３２とカップ縁１３aの結合部１３１aとが分離され、これにより、消費者が、簡単に上記カップフタ３を分離でき、カップフタ３を開くとき、力を入れ過ぎて飲料が溢れることを防止できる。
【００４７】
図１１は、本考案の第八実施例の分解状態概念図である。図のように、本考案は、上記第一、二、三、四、五、六、七及び第八実施例に説明された構造形態の他に、本第八実施例の構造形態でもよく、異なることは、上記カップ縁１３bの結合部１３１bとカップフタ３aの組立て部３１aに、対向するオス、雌スクリューが形成される。
【００４８】
カップフタ３aとカップ体１bは、オス、雌スクリューが形成される組立て部３１aと結合部１３１aとの結合により、消費者が、カップフタ３aを開く時、逆方向にカップフタ３aを回転して、カップフタ３aの組立て部３１aとカップ縁１３bの結合部１３１bとが分離され、これにより、消費者が、簡単に上記カップフタ３aを開くことができ、カップフタ３aを開く時、力を入れ過ぎるため、飲料が溢れることを防止できる。
【００４９】
以上のように、本考案に係るペーパーカップの断熱とカップフタ構造は、有効に、従来の諸欠点を解消でき、カップ体とカップ縁とが、簡単に製作され、また、材料を節約でき、また、断熱シートを設置することにより、ペーパーカップを運輸と包装する時の保管空間が節約され、包装と運輸のコストが低減されるだけでなく、カップフタが、便利にカップ体に結合され、カップフタを開く時、力を入れ過ぎることにより、飲料が溢れることを解消でき、これにより、ペーパーカップの使用便利性が向上され、そのため、本考案は、より進歩的かつより実用的で、法に従って実用新案登録請求を出願する。
【００５０】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００５１】
１、１a、１b          カップ体
１１                  カップ底
１２、１２ａ          カップ口
１３、１３a、１３b    カップ縁
１３１a、１３１b      結合部
２、２a、２b、２c、２ｄ、２ｅ    断熱シート
２０、２０b          突出部
２１                  第一の折線
２２                  第二の折線
２３                  湾曲部
３、３a              カップフタ
３１、３１a          組立て部
３２                  凹槽
【図１】
0003171652.tif 000003
【図２】
0003171652.tif 000004
【図３】
0003171652.tif 000005
【図４】
0003171652.tif 000006
【図５】
0003171652.tif 000007
【図６】
0003171652.tif 000008
【図７】
0003171652.tif 000009
【図８】
0003171652.tif 000010
【図９】
0003171652.tif 000011
【図１０】
0003171652.tif 000012
【図１１】
0003171652.tif 000013